(57)【要約】【課題】本発明は、上述した映像表示装置において、各機能ブロックが互いに影響を受けることなく、さらに消費電力を低減することが可能な映像表示装置の電源制御装置を提供することを目的とするものである。【解決手段】電源供給部４の電圧変換回路４２〜４５よりＴＶブロック２及びＰＣブロック３に所定の電圧がそれぞれ供給されており、各電圧変換回路はＣＰＵ１からの制御信号により電圧を供給又は停止するように制御される。ＣＰＵ１は、両ブロックのいずれか一方が選択されていることを判定して他方のブロックへの電圧供給を停止することで、両ブロック間で互いに影響を及ぼし合わないようにしている。【選択図】図１
2005191757.tif 000002
【特許請求の範囲】
【請求項１】
映像信号を処理するための複数の機能ブロックにそれぞれ独立に電圧を供給する電源供給部と、電源供給部を制御する制御部とを備えた映像表示装置の電源制御装置であって、前記制御部は、各機能ブロックのいずれが動作選択されたかを判定する判定手段と、選択されたと判定した機能ブロックに対応して予め決められた機能ブロックへの電圧を供給停止するよう前記電源供給部を制御する制御手段とを備えていることを特徴とする映像表示装置の電源制御装置。
【請求項２】
前記機能ブロックとしてＴＶ方式の映像信号を処理する第一機能ブロック及びＶＧＡ方式の映像信号を処理する第二機能ブロックが少なくとも含まれており、前記制御手段は、前記第一機能ブロック及び前記第二機能ブロックのいずれか一方が選択された場合に少なくとも他方の機能ブロックへの電圧を供給停止するよう前記電源供給部を制御することを特徴とする請求項１に記載の映像表示装置の電源制御装置。
【発明の詳細な説明】
【技術分野】
【０００１】
本発明は、モニタにテレビジョン（以下「ＴＶ」と略称する）放送の映像信号やパーソナルコンピュータ（以下「ＰＣ」と略称する）からの映像信号等の複数種類の映像信号を処理して表示させる映像表示装置の電源制御装置に関する。
【背景技術】
【０００２】
近年、ＴＶ、ＰＣ、ＶＣＲ、ＤＶＤ、ＨＤＤ等の様々な機器からの映像信号を処理して液晶表示パネル等のモニタに表示させる映像表示装置が実用化されている。こうした電子機器を一体化することで、各電子機器を単体とするよりも機器自体がコンパクト化でき、機器間で情報を高速で伝送することが可能になる等のメリットがあるが、ＴＶやＶＣＲのみ使用しているときもＤＶＤ等の使用しない機器に電源が供給されており、その分無駄な消費電力がかかってしまうという問題点がある。
【０００３】
そのため、それぞれの機器の電源を例えばリモコンで操作してオン、オフすることが考えられるが、別々に電源を設置する必要があったり、いちいち手動操作が必要となる。そこで、電源を共通化しそれぞれの機器に電源を供給するのを遮断することが考えられる。例えば、特許文献１では、回路ブロックの電源幹線にスイッチを配置しておき、別の回路ブロックからの遮断指令信号によりスイッチを開路してその回路ブロックへの電源供給を遮断する点が記載されている。また、特許文献２では、プリント基板上の回路を、各々独立して電源が供給される複数ブロックに分割して構成し、複数ブロックの中で外部より電源が供給される第一ブロックに、他のブロックへの電源供給又は遮断判定を行う電源供給制御手段を設けた点が記載されている。
【特許文献１】特開平１０−２０００５０号公報
【特許文献２】特開２００１−７７４８７号公報
【発明の開示】
【発明が解決しようとする課題】
【０００４】
しかしながら、上述した先行技術文献では、電源自体の出力自体は従来どおりで、回路ブロックへの電源供給ラインを遮断するようにされており、電源供給部の出力が停止されていないためその分無駄な消費電力が発生していることになる。また、電源を遮断するためスイッチ等の回路構成を新たに付加する必要があり、その分コストアップしてしまうことになる。
【０００５】
また、上記のような様々な機器を複合一体化した映像表示装置では、異なる種類の映像信号を処理するようになるため、処理する映像信号の周波数により互いに影響を及ぼしてノイズが入り、モニタ画面の表示する画質が劣化するといった問題が発生しやすい。特に、映像表示装置がコンパクト化されてくると、各映像信号を処理する機能ブロックが接近して配置されるようになるため、互いに影響を受けやすくなる。
【０００６】
そこで、本発明は、上述した映像表示装置において、各機能ブロックが互いに影響を受けることなく、さらに消費電力を低減することが可能な映像表示装置の電源制御装置を提供することを目的とするものである。
【課題を解決するための手段】
【０００７】
本発明に係る複合電子機器の電源制御装置は、映像信号を処理するための複数の機能ブロックにそれぞれ独立に電圧を供給する電源供給部と、電源供給部を制御する制御部とを備えた複合電子機器の電源制御装置であって、前記制御部は、各機能ブロックのいずれが動作選択されたかを判定する判定手段と、選択されたと判定した機能ブロックに対応して予め決められた機能ブロックへの電圧を供給停止するよう前記電源供給部を制御する制御手段とを備えていることを特徴とする。さらに、前記機能ブロックとしてＴＶ方式の映像信号を処理する第一機能ブロック及びＶＧＡ方式の映像信号を処理する第二機能ブロックが少なくとも含まれており、前記制御手段は、前記第一機能ブロック及び前記第二機能ブロックのいずれか一方が選択された場合に少なくとも他方の機能ブロックへの電圧を供給停止するよう前記電源供給部を制御することを特徴とする。
【０００８】
ここで、ＴＶ方式の映像信号とは、ＮＴＳＣ方式又はＰＡＬ方式の映像信号を含んでおり、ＶＧＡ方式の映像信号とは、ＶＧＡ及びその後継の方式であるＳＶＧＡ、ＸＧＡ、ＳＸＧＡ、ＵＸＧＡ、ＱＶＧＡの映像信号を含んでいるものとする。
【発明の効果】
【０００９】
本発明は、上記のような構成を有することで、動作選択された機能ブロックに対応して予め決められた機能ブロックの電圧供給を停止するので、各機能ブロックに影響を及ぼす機能ブロックを予め決めておけば、動作選択された機能ブロックに影響を及ぼす機能ブロックを停止してノイズが発生することを防止できる。さらに、動作しない機能ブロックの電圧が供給されないので、その分の消費電力がなくなり、装置全体の消費電力を低減することができる。
【００１０】
さらに、ＴＶ方式の映像信号を処理する第一機能ブロック及びＶＧＡ方式の映像信号を処理する第二機能ブロックのいずれか一方が選択された場合に少なくとも他方の機能ブロックへの電圧を供給停止するようにすれば、互いに影響を及ぼしやすいＴＶ方式の映像信号及びＶＧＡ方式の映像信号を共に画質を低下することなくモニタに表示するようにすることが可能となる。
【発明を実施するための最良の形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る実施形態を用いたＴＶ放送信号及びＰＣからの映像信号を処理する映像表示装置のブロック図を示している。説明を容易にするために、図１では、実施形態に関連しない部分については省略している。
【００１３】
ＣＰＵ１は、装置全体の制御を行う制御部であり、後述する電源供給部４を制御する。ＴＶブロック２は、ＴＶ放送信号を処理する機能ブロックであり、ＴＶ信号を受信して選択されたチャンネルの周波数の信号を出力するチューナ２０と、チューナ２０から出力された映像信号を受信してコンポジット信号から輝度信号、色差信号及び同期信号を分離してコンポーネント信号として出力するデコーダ２１と、インターレース方式の映像信号をプログレッシブ方式に変換するＩ／Ｐ変換回路２２と、Ｉ／Ｐ変換回路２２においてノイズリダクション等の映像処理を行う際にメモリとして使用するＳＤ−ＲＡＭ２３が設けられている。ＰＣブロック３は、ＰＣから送信された映像信号を処理する機能ブロックであり、ＰＣから出力されたアナログ信号をデジタル化するＡ／Ｄ変換回路３０が設けられている。電源供給部４は、各回路に必要なレベルの電圧を供給しており、商用交流電源４１から定電圧を供給する定電圧電源回路４０と、定電圧電源回路４０から出力される電圧を異なるレベルの電圧に変換して出力する電圧変換回路４２〜４５が設けられている。
【００１４】
定電圧電源回路２０からはＣＰＵ１に電圧Ｖ１が供給されており、電圧変換回路４２からは、チューナ２０及びデコーダ２１に電圧Ｖ２が供給されている。また、電圧変換回路４３からデコーダ２１、Ｉ／Ｐ変換回路２２及びＳＤ−ＲＡＭ２３に電圧Ｖ３が供給されており、電圧変換回路４４からはＩ／Ｐ変換回路２２に電圧Ｖ４が供給されており、電圧変換回路４５からはＡ／Ｄ変換回路３０に電圧Ｖ５が供給されている。そして、電圧変換回路４２〜４５は、それぞれＣＰＵ１からの制御信号により電圧供給及び電圧停止が行われるように制御される。
【００１５】
以上のようにＴＶブロック２及びＰＣブロック３を備えた映像表示装置では、互いに影響を及ぼし合うようになる場合がある。例えば、図２に示すように、液晶パネル５２にＴＶ放送信号及びＰＣからの映像信号を表示する場合、Ｉ／Ｐ変換回路２２及びＡ／Ｄ変換回路３０は、ＳＣＡＬＥＲ５０（信号変換処理回路）に入力されて、液晶パネル５２に合わせた解像度に一旦変換された後ＬＶＤＳ５１（低電圧差動型インターフェース）により不要なノイズを低減させて液晶パネル５２に駆動信号が入力される。
【００１６】
ＰＣからの映像信号としてＸＧＡ方式の映像信号がＡ／Ｄ変換回路３０に入力される場合、データは約３２ＭＨｚの変換レートで変換されるため回路内部では６４ＭＨｚで動作させており、そのため回路の外部には６４ＭＨｚ及びその高調波成分（６４ＭＨｚの整数倍の周波数成分）が放射されるようになる。そして、高調波成分の中で３倍の高調波成分（１９２ＭＨｚ）が特にエネルギーが大きいため、チューナ２０にその高調波成分がＴＶ放送信号とともに入力されると高調波成分に該当するチャンネルが影響を受けて表示画面にノイズが入るようになる。
【００１７】
また、デコーダ２１及びＩ／Ｐ変換回路２２からは２７．７ＭＨｚで信号が出力されるが、この周波数成分は、Ａ／Ｄ変換回路３０から発生する３２ＭＨｚの周波数成分（６４ＭＨｚの１／２）との間で４．３ＭＨｚのビート成分を発生するといわれており、ＰＣから送信される映像信号に対して悪影響を及ぼすようになる。
【００１８】
このように、ＴＶ放送信号に対してはＰＣブロック３からの影響を受ける場合があり、ＰＣからの映像信号に対してはＴＶブロック１からの影響を受ける場合がある。そこで、こうした互いの影響をなくすために、いずれか一方のブロックが選択されている場合に他方のブロックの電源供給を停止するようにする。そのために、図１において、ＣＰＵ１は、どちらか一方のブロックが選択されたことを判定した場合に、他方のブロックの電圧供給を停止するようにする。ＴＶブロック１が選択されたと判定された場合には、ＣＰＵ１は、電圧変換回路４５を電圧供給停止し、ＰＣブロックが選択された場合には、電圧変換回路４２〜４４を電圧供給停止するようにすればよい。
【００１９】
ＣＰＵ１がブロック選択を判定する場合には、図３に示すような表示選択モード設定画面で操作者が設定できるようにしておき、この設定画面でＯＮを選択した場合には、さらに図４に示すような表示選択画面が表示されてＴＶ又はＰＣを選択して、その選択データを予め記憶しＣＰＵ１が判定するようにする。図３の設定画面でＯＦＦを選択した場合には、上述したようにノイズの影響を受けて画質は低下するが、両方の映像信号を表示するようになる。
【００２０】
また、図３の設定画面でＯＮが選択された場合に、図４のような表示選択を行わずにＣＰＵ１が自動的に使用されているブロックを判定してもよい。例えば、Ａ／Ｄ変換回路３０に映像信号が入力されたか否かを常時監視して、入力がない場合にはＴＶブロックが選択されていると判定し、入力があった場合にはＰＣブロックが選択されたものと自動的に判定するようにしてもよい。
【００２１】
次に、本実施形態に関する処理フローを図５に基づいて説明する。映像表示装置に商用電源が投入されると（Ｓ１００）、定電圧電源４０が起動して電源供給を開始する（Ｓ１０１）。そして、電源スイッチがオンされたか否かチェックして（Ｓ１０２）、電源スイッチがオフの場合には、ＣＰＵ１から電源変換回路４２〜４５にオフ信号が出力されて（Ｓ１０３）、電圧供給が停止され（Ｓ１０４）、電源待機状態に設定される（Ｓ１０５）。そして、Ｓ１０２に戻り、再度電源スイッチがオンされたかチェックされる。
【００２２】
電源スイッチがオンされると、表示選択モードがＯＮかチェックされる（Ｓ１０６）。表示選択モードがＯＮの場合には、表示選択がＴＶか否かチェックされ（Ｓ１０７）、ＴＶが選択されていると判定された場合には、電圧変換回路４２〜４４にＣＰＵ１からオン信号が出力されて（Ｓ１０８）ＴＶブロックに電圧供給が開始される（Ｓ１０９）。この場合電圧変換回路４５にはオフ信号が出力されて電圧変換回路４５からＰＣブロックには電圧が供給されない。そして、液晶パネル５２においてＴＶ画面表示がなされるようになる（Ｓ１１０）。
【００２３】
一方、Ｓ１０７においてＰＣが選択されていると判定された場合には、電圧変換回路４２〜４４にＣＰＵ１からオン信号が出力されて（Ｓ１１１）ＰＣブロックに電圧供給が開始される（Ｓ１１２）。この場合電圧変換回路４２〜４４にはオフ信号が出力されてＴＶブロックには電圧が供給されない。そして、液晶パネル５２においてＰＣ画面表示がなされるようになる（Ｓ１１３）。
【００２４】
Ｓ１０６において、表示選択モードがＯＦＦに設定されている場合には、電圧変換回路４２〜４５にＣＰＵ１からオン信号が出力されて（Ｓ１１４）両ブロックに電圧が供給される（Ｓ１１５）。そして、両方のブロックから送信される映像信号が適宜液晶パネル５２に表示される（Ｓ１１６）。
【００２５】
以上のように、ＴＶブロック及びＰＣブロックのいずれか一方が選択されている場合には他方のブロックは電源が供給されないため、互いに悪影響を及ぼすことがなくなり、各機能ブロックを近接した状態で配置できるようになる。したがって、各ブロックの配置スペースが縮小され、装置のコンパクト化が可能となる。さらに、使用していない機能ブロックへの電源供給が停止されるので、消費電力が低減される。
【００２６】
以上説明した例では、機能ブロックはＴＶ、ＰＣの２つであるが、ＤＶＤやＨＤＤ等の機能ブロックが加わる場合にも、本発明は適用可能である。この場合には、図４の選択画面にこうした機能ブロックを追加して選択可能としておき、各機能ブロックに対応して電源供給停止が必要な機能ブロックを予め記憶しておけばよい。その場合、それぞれの機能ブロックに対して悪影響を及ぼす機能ブロックを選択するようにする。例えば、ＤＶＤブロックやＨＤＤブロックでは、ＭＰＥＧデータを処理する符号化／復号化処理回路が用いられているが、こうした回路ではメモリ回路との間で１３５ＭＨｚの周波数で信号処理が行われており、この周波数がＴＶブロックのチューナ側のチャンネル周波数と一致していることから、ＴＶブロックとこれらの機能ブロックとの間で影響を及ぼし合い画面にビートが発生するおそれがある。したがって、ＴＶブロックが動作しているときはこれらの機能ブロックへの電源供給を停止するように予めその対応関係を記憶しておく。また、ＤＶＤブロック又はＨＤＤブロックが動作しているときはＴＶブロックへの電源供給を停止するように対応関係を記憶しておくようにする。
【００２７】
そして、ある特定の機能ブロックが選択されている場合には、図５に示す処理フローでＳ１０７においてその機能ブロックを判定し、判定された機能ブロックに対応する電圧供給停止が必要な機能ブロックに関するデータを読み出して、該当する機能ブロックに電圧供給している電圧変換回路にＣＰＵ１からオフ信号を出力し電圧供給を停止するようにすればよい。
【図面の簡単な説明】
【００２８】
【図１】本発明に係る実施形態を用いた映像表示装置の一部ブロック構成図である。
【図２】液晶パネルに表示を行うためのブロック構成図である。
【図３】表示選択モード設定画面に関する説明図である。
【図４】表示選択画面に関する説明図である。
【図５】本発明に関する実施形態の処理フローである。
【符号の説明】
【００２９】
１    ＣＰＵ
２    ＴＶブロック
３    ＰＣブロック
４    電源供給部
【図１】
2005191757.tif 000003
【図２】
2005191757.tif 000004
【図３】
2005191757.tif 000005
【図４】
2005191757.tif 000006
【図５】
2005191757.tif 000007